(57)【要約】【課題】水槽上部を開閉する内蓋として十分に機能する上で軽量化を図り、脱水回転数のアップや運転時間の短縮を可能とする。【解決手段】縦型洗濯乾燥機において、回転槽１４を内設した水槽８の上面開口に、槽カバー１２を被着するとともに、該槽カバー１２にアルミ部材で構成された内蓋１３を開閉可能に設けた構成とする。【選択図】　図１
2004033409.tif 000002
【特許請求の範囲】
【請求項１】
上面に洗濯物投入口を備え外殻を形成する筐体と、この筐体内に弾性支持され上面を開口した有底筒状の水槽と、この水槽の上面開口を閉鎖すべく被着された槽カバーと、前記水槽内に設けられ垂直軸周りに回転可能な有底筒状の回転槽と、前記筐体内に設けられ前記水槽内に温風を供給するヒータおよび送風ファンからなる温風ユニットとを備えたものにおいて、
前記槽カバーには、洗濯物を出し入れするために開閉可能な内蓋が設けられ、該内蓋はアルミ部材で構成されたことを特徴とする縦型洗濯乾燥機。
【請求項２】
槽カバーは、アルミ部材で構成されたことを特徴とする請求項１記載の縦型洗濯乾燥機。
【請求項３】
アルミ部材には、表面処理が施されていることを特徴とする請求項１または２記載の縦型洗濯乾燥機。
【請求項４】
槽カバーは、樹脂製の基体部の上面にアルミ部材製の補強板を被着した構成とするとともに、前記補強板は周端部に折り返し部を設け、該折り返し部を前記基体部に設けた凹部に挿入する構成としたことを特徴とする請求項１記載の縦型洗濯乾燥機。
【請求項５】
内蓋は、裏面に複数の突部を設けたことを特徴とする請求項１記載の縦型洗濯乾燥機。
【発明の詳細な説明】
【０００１】
【発明の属する技術分野】
本発明は、洗濯と乾燥の両機能を備えた縦型洗濯乾燥機に関する。
【０００２】
【従来の技術】
従来、洗濯物を洗濯から乾燥までを１台で行なえるようにした縦型洗濯乾燥機が供されている。その構成の特徴は、弾性支持された貯水可能な有底筒状の水槽内に、垂直軸周りの回転槽を配するとともに、前記水槽の上面開口には槽カバーで閉鎖する構成として、この閉鎖により気密性が確保された水槽内に温風を供給することで、前記回転槽内に収容された洗濯物を乾燥するようにしている。
しかるに、前記槽カバーには、洗濯物を出し入れするための内蓋を開閉可能に設けている。この内蓋は、温風熱に耐え、また強度的な観点から例えば二重板構成としていて、その外表面側を樹脂製とし、特に耐熱性が必要な裏面側をステンレス部材の金属製としている。
【０００３】
【発明が解決しようとする課題】
しかしながら、上記構成の如く内蓋を金属製（ステンレス部材）とした場合には、その重量の増加に伴ない水槽の上部が重くなり、重心位置が上方に移動するなどバランス性能が低下し、前記回転槽が脱水回転させたときの振れが大きくなり、回転槽と水槽とが接触したり円滑な脱水運転ができなくなる。従って、これを確実に回避するためには回転数を低速設定としなければならず、この場合には脱水率の低下や運転時間が長くなるなど、洗濯や乾燥運転の効率が悪くなる。
【０００４】
本発明は上述の事情に鑑みてなされたものであり、従ってその目的は、内蓋として十分に機能する上で軽量化を図り、脱水回転数のアップや運転時間の短縮を可能とする縦型洗濯乾燥機を提供するにある。
【０００５】
【課題を解決するための手段】
上記目的を達成するために本発明の縦型洗濯乾燥機は、上面に洗濯物投入口を備え外殻を形成する筐体と、この筐体内に弾性支持され上面を開口した有底筒状の水槽と、この水槽の上面開口を閉鎖すべく被着された槽カバーと、前記水槽内に設けられ垂直軸周りに回転可能な有底筒状の回転槽と、前記筐体内に設けられ前記水槽内に温風を供給するヒータおよび送風ファンからなる温風ユニットとを備えたものにおいて、前記槽カバーには、洗濯物を出し入れするために開閉可能な内蓋が設けられ、該内蓋はアルミ部材で構成されたことを特徴とする（請求項１の発明）。
【０００６】
斯かる構成によれば、内蓋は熱的にも機械的強度にも優れ乾燥運転時に水槽の上面開口を有効に封鎖する本来の機能を確実に維持するとともに、水槽上部の軽量化に繋がり該水槽をバランス良く弾性支持した形態に維持でき、特に脱水運転時の回転槽の高速回転やアンバランスに伴なう振動振幅を極力小さく抑え、効率良く円滑な運転を確保できる。
【０００７】
そして、請求項１記載のものにおいて、槽カバーは、アルミ部材で構成されたことを特徴とする（請求項２の発明）。
【０００８】
斯かる構成によれば、振動振幅を大きくする要因となる水槽上部の重量増大を回避しながら槽カバー自体の補強ができ、従って遠心脱水時の振動等により水槽の上面開口が撓み変形を生ずるような作用を受けても、その変形を阻止すべく十分な強度にて受け止めることができ、これにより回転槽の高速回転による脱水運転を円滑に効率良く行なうことができる。
【０００９】
次いで、請求項１または２記載のものにおいて、アルミ部材には、表面処理が施されていることを特徴とする（請求項３の発明）。
【００１０】
斯かる構成によれば、発錆防止や美観向上のために容易に対応でき、長期に亘り良好な外観を保つことが可能である。
【００１１】
また、請求項１記載のものにおいて、槽カバーは、樹脂製の基体部の上面にアルミ部材製の補強板を被着した構成とするとともに、前記補強板は周端部に折り返し部を設け、該折り返し部を前記基体部に設けた凹部に挿入する構成としたことを特徴とする（請求項４の発明）。
【００１２】
斯かる構成によれば、補強板の周端部は折り返し部として且つ凹部内に挿入されるので、その端面は隠蔽され良好な外観が長期維持できる。
【００１３】
更には、請求項１記載のものにおいて、内蓋は、裏面に複数の突部を設けたことを特徴とする（請求項５の発明）。
【００１４】
斯かる構成によれば、内蓋は乾燥運転時に比較的高温に加熱された状態となるが、これにユーザが触れても線接触若しくは点接触となり、面接触の如き熱さを感知しないで済み使い勝手が良くなる。
【００１５】
【発明の実施の形態】
以下、本発明の一実施例を示す図１ないし図６を参照して説明する。
まず、図４は洗濯乾燥機全体の概略構成につき要部を破断して示す側面図で、該図面に基づき説明すると、外郭を形成する箱状の匡体１は、矩形の外箱２と、その上面を覆うように被着されたトップカバー３とから構成されている。
トップカバー３は、ほぼ中央部には洗濯物の投入口４を有し、該投入口４には蓋５が開閉可能に設けられ、また前方には図示しない各種のスイッチキーを有する操作パネル６が配設されるとともに、その内方には洗濯から乾燥に至る運転全般を制御すべくマイクロコンピュータ等からなる制御装置７を内蔵している。
【００１６】
そして、外箱２の内部には、上面を開口した貯水可能な有底筒状の水槽８が、４隅部の弾性支持機構９（図４では１個所のみ図示）を介して弾性支持されている。この水槽８の底部には、排水弁１０を有する排水管路１１が連通接続され、水槽８内の洗濯水等を機外に排水可能な構成とし、一方、上端部には上面の開口を閉鎖するように円盤状の槽カバー１２（詳細は後述）が水密に嵌合固定されている。そして、この槽カバー１２には、詳細は後述する内蓋１３が開閉可能に設けられ、洗濯物の出し入れを可能にするとともに、該内蓋１３が閉鎖状態にあるとき水槽８内は気密性が確保された室空間として形成される。
【００１７】
斯かる水槽８の内部には、洗濯物を収容する回転槽１４が垂直軸周りに回転可能に設けられている。具体的には、上記水槽８と同様の上面を開口した所謂縦型の有底筒状をなし、且つ底部を含む全周壁に多数の透孔１４ａを有し、上部にバランスリング１４ｂを備えた構成にある。
この回転槽１４の内底部には、該底面に沿って径大で多くの表面積を有する皿状の撹拌体１５を正逆回転可能に設けている。
【００１８】
このような回転槽１４の底部中央には、垂直軸を構成する中空軸１６ａが連結され、この中空軸１６ａの内部には、上端部に前記撹拌体１５を連結した回転軸１６ｂが挿通支持され、これら両軸１６ａ，１６ｂの下端部は前記水槽８の外底部に装着された駆動モータ１７により図示しないクラッチ機構を介して選択的に回転駆動される構成としていて、その回転制御は前記制御装置７により制御される。
【００１９】
そして、本実施例では前記筐体１内に取付支持され、前記水槽８内と上下部において連通接続した循環風路１８が設けられている。この循環風路１８は、水槽８に対して温風の給排（矢印Ａ方向）を連続的に行うもので、その途中における上部のトップカバー３内に位置して温風を生成し水槽８内に供給する温風ユニット１９と、その上流側に除湿用の熱交換器２０を設けた構成としている（いずれも詳細は後述する）。
【００２０】
しかるに、循環風路１８の一端たる下端部は、水槽８下部に蛇腹状の排気ダクト１８ａを介して連通し、他端たる上端部はトップカバー３内を経て水槽８の上部に、やはり蛇腹状をなす給気ダクト１８ｂを介して連通していて、具体的には該温風ダクト１８ｂは、前記槽カバー１２に接続されている。
このように、筐体１側に取付支持される循環風路１８は、水槽８側との連結部位がいずれも蛇腹状をなす排気ダクト１８ａおよび給気ダクト１８ｂの構成であることから、水槽８とは弾性的に連結支持され該水槽８側からの振動伝達が緩衝的に抑えられ、該循環風路１８を経て外箱２側への振動伝達を軽減する。
【００２１】
ここで、まず前記熱交換器２０の構成につき述べると、これは乾燥運転時において水槽８内から排気ダクト１８ａを経て循環風路１８内に取り込まれた排気（乾燥寄与後の温風）に対して、該排気中に含まれる多量の湿気を除去するもので、例えば排気風に向って冷却水を注ぐ注水器２１を備えた、所謂水冷式の熱交換器１８を構成している。従って、排気中の水分は、上記注水により冷却され凝縮して流下し、排水管路１１から機外に排出され、除湿された後の温風のみが下流側の前記温風ユニット１９に流れ、効率良く温風化される。
【００２２】
次いで、上記温風ユニット１９の構成につき述べると、これは上記熱交換器２０を経た排気風を、改めて加熱温風化するとともに、該温風を前記給気ダクト１８ｂを介して繰り返し水槽８内に供給するもので、以下図５も参照して説明する。尚、図５は、トップカバー３を取り外した状態の平面図である。
即ち、温風ユニット１９は、ファンモータ２２で回転駆動されるシロッコ型の送風ファン２３と、そのファンケース２４の吹出し側に連結されたヒータケース２５内に配設されたＰＴＣヒータからなるヒータ２６とから構成され、このヒータケース２５の吹出し側に前記給気ダクト１８ｂが接続され、以って水槽８内に温風を供給可能としている。
【００２３】
従って、乾燥運転時には温風ユニット１９の駆動により、水槽８を介在した循環風路１８中を矢印Ａ方向に流れる循環送風が生成され、水槽８に対して所謂温風が繰り返し循環供給され、回転槽１４内に収容された洗濯物を乾燥する。
尚、前記送風ファン２３の吸込み側であるファンケース２４の下部には、フィルタ装置２７が設けられている。このフィルタ装置２７は、具体的な構成等の説明は省略するが、水平方向で且つ正面から見て前後方向に着脱可能なフィルタ部材を具備し、水槽８から循環風路１８内に流れ込んだ糸屑などのリントを捕獲する機能を有する。
【００２４】
また、トップカバー３内には、前記温風ユニット１９と隣接して給水ユニット２８が設けられている。この給水ユニット２８は、水道等の給水源に接続された給水弁２９と、給水管路３０を経て接続された注水ケース３１とから構成され、該注水ケース３１の出口側には水槽８の上部たる槽カバー１２との間に蛇腹状の給水ダクト３２により連結され、水槽８および回転槽１４内に給水可能としている。尚、この注水ケース３１は、図示しないが柔軟仕上剤や洗剤を予め貯留可能とし、夫々洗いやすすぎ時の給水と共に水槽８内に投入可能とした機能を有している。
【００２５】
しかして、図１ないし図３および図６は、前記槽カバー１２および内蓋１３の具体的構成を示したもので、そのうち図１は水槽８の上端部分における要部の断面図で、特には前記槽カバー１２および内蓋１３の構成を示し、また図２および図３は図１中のＢ部分およびＣ部分の夫々拡大断面図、そして図６は閉鎖状態の内蓋１３を備えた槽カバー１２全体の斜視図である。
上記各図面に示すように、槽カバー１２は、水槽８の開口上端部にパッキン３３を介して水密に嵌合した上で、図示しないネジ止め手段により取付固定されている。しかるに、本実施例における槽カバー１２は、中央部分に大きな非円形の開口部３４を形成した耐熱樹脂製の基体部３５と、該基体部３５の上面の少なくとも前記開口部３４の周縁部に配設された補強板３６とから構成され、該補強板３６はアルミニウムやその合金等を含むアルミ部材にて形成されている。
【００２６】
しかも、この補強板３６の周端部である外周端部および内周端部には、折り返し部３６ａを形成していて、この折り返し部３６ａを前記基体部３５に形成した凹部３５ａに嵌合させた状態で、複数個所をネジ３７にて取付固定した構成としている。このアルミ部材からなる補強板３６には、例えば図示しないがアルマイト処理或はカチオン電着塗装等の表面処理が施され、特には防錆処理や美観を目的に処理加工されている。
【００２７】
また、上記基体部３５の開口部３４は、洗濯物の出し入れ用の開口で、下方に位置する回転槽１４の開口たるバランスリング１４ｂの開口と対応して形成されている。但し、該開口部３４は例えば円形状の一端を直線的に形成した非円形をなし、その直線状縁部の両側部に軸支部材としての支持金具３８を取付固定していて、該支持金具３８に内蓋１３のヒンジ部１３ａが支軸３９にて回動自在に設けられている。
【００２８】
更に、基体部３５には、上記内蓋１３の軸支された後方において、特に図６に示すように上方に突設された筒状の温風接続口４０および給水接続口４１を並んで一体に形成しており、これらに前記した給気ダクト１８ｂおよび給水ダクト３２が夫々接続される。
尚、槽カバー１２の外周端部の複数個所には、外方に突設した突片４２（図６参照）を基体部３５と一体に形成していて、これに対応した水槽８上端部の図示しない突部との間をネジにて締め付け、以って槽カバー１２は前記したパッキン３３を挟持した水密で且つ気密な構成として水槽８に取付固定される。
【００２９】
次いで、前記内蓋１３の構成につき説明すると、内蓋１３は本実施例では所謂二重板構成としていて、その外表面側を耐熱樹脂製の表板４３とし、裏板４４をアルミ部材製とし、この裏板４４にもアルマイト処理或はカチオン電着塗装の表面処理が施されている。しかも、これら表，裏板４３，４４間には空隙４５を形成するとともに、該空隙４５内に位置して表板４３から一体に突設され直線的に延びる複数条のリブ４６を有し、一方裏板４４には、下方に突出し直線的に延びる複数条の突部４７を形成している。
【００３０】
そして、これら表板４３と裏板４４とは、複数個所をネジ４８（図１では１個所のみ示す）により組立固定されるとともに、そのうちの裏板４４の外周端部は、槽カバー１２の開口部３３形状に沿うように配設された蓋パッキン４９を、表板４３の裏面に押し付けるように挟持した状態で取付固定される。従って、内蓋１３が開口部３４を閉鎖したとき、蓋パッキン４９の自由端側が開口部３４周縁に弾力的に圧接し、以って内蓋１３は槽カバー１２に対し水密で気密状態に閉鎖可能で、結果として水槽８内は循環風路１８を有するものの実質的に封鎖された室空間を形成可能とするものである。
【００３１】
一方、内蓋１３の反軸支側たる自由端部側には、手掛部５０と、これに連動するフック機構を備えている。即ち、手掛部５０は内蓋１３に回動可能に軸支され、且つその内方にフック機構として該手掛部５０を所定の回動位置に保持すべく弾発力を付与してなるフック部材５１を設けている。このフック部材５１は、弾力性を有する樹脂製で弾発力の蓄積と放出を行なう弾性片５１ａが内蓋１３側に係止され、この弾性片５１ａの反対側に形成され手掛部５０の回動により接離する当接部５１ｂを有するとともに、下端部にＬ字状のフック５１ｃを備えた構成としている。
【００３２】
しかるに、上記フック５１ｃは、槽カバー１２側に設けられた係合部材５３の爪片５３ａと係脱可能に構成され、図２に示す係合状態にあっては内蓋１３は確実に閉鎖状態に係合保持され、一方手掛部５０を図中Ｄ方向に回動操作したとき、当接部５１ｂが押圧されて弾性片５１ａを圧縮変形するとともに、フック５１ｃが爪片５３ａとの係合状態が解放され内蓋１３を開放可能とする。
【００３３】
次に、上記構成の縦型洗濯乾燥機の作用について説明する。
通常、この種洗濯乾燥機にあっては、各種の運転コースを選択設定可能としているが、以下は例えば洗いから乾燥まで行なう運転コースにつき概述する。
まず、洗い行程では、洗濯物を回転槽１４内に投入した後、操作パネル６にて運転スタート操作すると、給水弁２９が開放動作して水道水は給水管路３０を経て注水ケース３１に通水され、この注水ケース３１内に予め貯留された洗剤を水と共に押し流し、給水ダクト３２から水槽８（回転槽１４）内に洗濯水として投入される。
その後、図示しない水位スイッチ手段からの検知信号に基づき適量の水位に制御されて給水弁２９が閉じるとともに、駆動モータ１７が通電駆動され、撹拌体１５の正逆回転による洗い動作が開始される。この洗い行程が終了すると、すすぎ行程に移行し上記洗い行程の動作と同様にして例えば２回のすすぎ洗いが行なわれる。
【００３４】
次いで、脱水行程に移行し図示しないクラッチ機構を介して回転槽１４が撹拌体１５を伴い一体的に高速回転され、洗濯物を遠心脱水する。この遠心抽出された水は、透孔１４ａから水槽８側に放出された後、該水槽８底部から開放状態の排水弁１０を経て排水管路１１より機外に排出される。この場合、下半部を吊り下げ支持された水槽８には、その上端部の槽カバー１２に設けられた内蓋１３を耐熱軽量化が可能なアルミ部材製としているので、該水槽８上部の軽量化に伴ない振動振幅を小さく抑えることができ、従って回転槽１４の回転速度を上げることができ運転時間の短縮や脱水効率の向上が期待できる。
【００３５】
しかしながら、上記高速脱水運転において特に回転槽１４がアンバランス振動を生じた場合には、弾性支持された水槽８も特に上端開口部ほど振れが大きく撓み変形を起こし易い。しかも、上面の槽カバー１２の後方側では前記給水ダクト３２および給気ダクト１８ｂが連結されていることから、槽カバー１２を通して水槽８には偏奇な外力が作用することになり、またユーザにより内蓋１３を介して押圧力を受けることも多く、且つ槽カバー１２は中央部に大きな開口部３４を有するため撓み易い構成である。
このため、本実施例では耐熱樹脂製の基体部３５に加えて、外表面にアルミ部材製の補強板３６を設けた構成とした。この結果、槽カバー１２は後述する乾燥運転時における熱的影響のみならず、特には上記撓み変形を起こすような外力に対して、十分に耐え得る機械的強度を確保した構成としている。
【００３６】
このような、洗濯運転に対し乾燥運転にあっては、径大な皿状の撹拌体１５が、洗い動作時より更に低速度に回転制御されるとともに、例えば回転槽１４も一方向に極低速回転されて洗濯物を撹拌する。同時に、循環風路１８中に介在する送風ファン２３およびヒータ２６からなる温風ユニット１９は、通電駆動により加熱され温風が生成され、先端部の給気ダクト１８ｂから水槽８内に向けて吹き込まれる。この水槽８内に供給された温風は、上面開口部が閉鎖状態の内蓋１３を有する槽カバー１２により封鎖された室空間を形成しているので、該水槽８外に漏れ出ることなく乾燥作用に有効利用できるもので、この場合の水槽８は言わば乾燥室として機能する。
【００３７】
従って、供給された温風は回転槽１４内に収容された図示しない洗濯物に吹き付けるようにして水分を奪い洗濯物を乾燥する。この場合、撹拌体１５による洗濯物の撹拌に加えて回転槽１４も回転しているので給気ダクト１８ｂの温風吹き込み位置は、回転槽１４に対して相対的に周方向に変位するため、温風が満遍なく行き渡り乾燥むらのない乾燥作用を発揮する。この乾燥運転中、水槽８の上部は給気ダクト１８ｂから温風化されたばかりの高温度の温風が供給され、槽カバー１２や特には回転槽１４の開口部としてのバランスリング１４ｂの開口部に対応する内蓋１３の裏面が最も高温度の温風に晒されることになる。
【００３８】
しかるに、内蓋１３は耐熱樹脂製の表板４３と、その裏面側に空隙４５を介してアルミ部材製の裏板４４を組み込んだ構成であるため、耐熱性に優れ高温度の温風に十分対応できるとともに、空隙４５を介した二重板構成で該空隙４５が断熱作用をなして表板４３側への熱伝達を抑制でき、熱的漏洩を防ぐとともにユーザが触れ易い内蓋１３の外表面が高温となることを防止するに有効である。
また、槽カバー１２は前記したように耐熱樹脂製に加えて、外表面にアルミ部材製の補強板３６を設けて、熱的および機械的な補強がなされている。
【００３９】
そして、上記乾燥に寄与した後の温風は、所謂排気風として水槽８下部の排気ダクト１８ａから矢印Ａで示すように循環風路１８内に取り込まれ、そして熱交換器２０に至る。この熱交換器２０は、排気中に含まれる水分を冷却凝縮して除湿するもので、循環風路１８内を上昇してくる排気風に向って注水器２１から適量の注水を行なうことにより、排気風は直接水と衝突するように接触して湿気を多く含んだ未だ温かい排気風は冷却され、水分は凝縮して流下し排水弁１０を経て排水管路１１から機外に排出され、以って排気風から除湿が行なわれる。
このようにして除湿された排気風は、循環風路１８内を上昇して再び温風ユニット１９に達して温風化され、改めて水槽８内に供給されることが繰り返し行なわれ、所謂温風の循環供給が行なわれる。
【００４０】
従って、下流側のヒータ２６では常に除湿された空気を短時間に効率良く温風化することができ、水槽８内に乾燥作用に有効な温風として循環供給されて、洗濯物が所定の乾燥度を得るまで継続され、所定の乾燥度を検知したとき乾燥行程の運転を終了する。尚、上記乾燥行程において洗濯物から離反した糸屑等のリントが、乾燥作用が進むに伴ない水槽８から循環風路１８内に多く流れ込むようになる。
【００４１】
しかるに、送風ファン２３の上流側である吸込み側のファンケース２４にフィルタ装置２７を設けているので、浮遊するリントは送風ファン２３やヒータ２６に侵入する以前に効果的に捕獲される。このフィルタ装置２７は着脱可能な構成としているので、捕獲蓄積されたリントの除去清掃を適宜に実施でき目詰まり状態を回避できる。また、この乾燥運転時や脱水運転時の回転槽１４の回転駆動に伴なう水槽８側からの振動は、上部では給水ダクト３２および給気ダクト１８ｂ、そして下部では排気ダクト１８ａを介して循環風路１８と連結しているが、いずれも屈曲自在な蛇腹形状となしていることから、水槽８側から生じた振動は循環風路１８および筐体１側に対して緩衝軽減され、円滑な運転が維持される。
【００４２】
このように本実施例によれば、次の効果を有する。
縦型洗濯乾燥機にあっては、特に良好な乾燥性能を得るためには、水槽８を封鎖された乾燥室として機能するように、該水槽８の上面開口は槽カバー１２および開閉可能な内蓋１３にて閉鎖可能としているが、そのうちの内蓋１３は熱的および機械的強度に加えて軽量化を図るべきアルミ部材を採用した裏板４４を有する構成とした。
【００４３】
従って、内蓋１３は乾燥運転時に水槽８の上面開口を有効に封鎖する本来の機能を確実に維持するとともに、水槽８の上部の軽量化に繋がりバランス良く弾性支持された形態に維持でき、脱水運転時の回転槽１４の高速回転やアンバランスに伴なう振動振幅を極力小さく抑えることができる。しかも、本実施例では表板４３と裏板４４との間に空隙４５を有するので、これが乾燥運転時に断熱効果を奏するとともに、該空隙４５内にリブ４６を形成したので、斯かる二重板構成の内蓋１３が組立や搬送時の取扱い上において、簡単に凹んだり圧潰することなく強度も確保できる。
【００４４】
ところで、乾燥運転後にユーザが洗濯物を取り出すなど内蓋１３を開放操作した場合、比較的高温状態の該内蓋１３の裏面である裏板４４に接触するおそれがあるが、この裏板４４には複数の突部４７を突設したので、広い面接触となるのを避け線接触若しくは点接触となり、その熱さを和らげて使い勝手が良くなるとともに延いては火傷等を回避するに有効である。
【００４５】
また、槽カバー１２にもアルミ部材を採用した補強板３６を備えた構成としたので、上記した振動の要因となる水槽８上部における重量増大を回避するとともに、中央部に大きな開口部３４を有する撓み易い槽カバー１２の機械的強度を補強でき、例えば脱水運転時に水槽８の上端開口部が振動等により変形するような力が作用しても、該槽カバー１２にて変形を阻止すべく十分に受け止めることができ、円滑な脱水運転を維持できる。
【００４６】
そして、上記アルミ部材製の補強板３６や裏板４４は、アルマイト処理或はカチオン電着塗装等の表面処理を施しているので、防錆効果に有効で長期に亘り美観を維持できる。しかも、特に外表面となる補強板３６の周端部には下方への折り返し部３６ａを設け、この折り返し部３６ａを基体部３５に形成した凹部３５ａ内に挿入するようにしたので、端面は隠蔽され一層外観を良好に保てるもので、このことは該補強板３６に上記表面処理を施したとしても、端面まで確実に加工処理できない場合などに有効である。
【００４７】
尚、本発明は上記し且つ図面に示した実施例にのみ限定されるものではなく、例えば乾燥用の温風は循環する構成としないで、水槽に供給された温風を直接機外に排気する構成でも良く、また内蓋の裏板に突設した突部は、線状のほかに点状の突部でも良いなど、実施に際して本発明の要旨を逸脱しない範囲にて種々変更可能である。
【００４８】
【発明の効果】
以上述べたことから明らかなように、本発明の縦型洗濯乾燥機は、水槽の上面開口に被着された槽カバーに、アルミ部材で構成された内蓋を開閉可能に設ける構成とした。
従って、内蓋は熱的および機械的強度も十分で乾燥運転時に水槽の上面開口を封鎖する本来の機能を確実に維持するとともに、この内蓋の軽量化は水槽上部の軽量化に繋がりバランス良く弾性支持されて、内設された回転槽の脱水運転時における高速回転やアンバランスに伴なう振動振幅を極力小さく抑えることができるなど、実用に好適する縦型洗濯乾燥機を提供できる。
【図面の簡単な説明】
【図１】本発明の一実施例を示す要部の断面図
【図２】図１のＢ部の拡大図
【図３】図１のＣ部の拡大図
【図４】縦型洗濯乾燥機全体の概略構成を説明するため要部を破断して示す側面図
【図５】トップカバーを取り外した状態の構成を示す平面図
【図６】要部の拡大斜視図
【符号の説明】
１は筐体、２は外箱、３はトップカバー、８は水槽、１２は槽カバー、１３は内蓋、１４は回転槽、１８は循環風路、１８ａは排気ダクト、１８ｂは給気ダクト、１９は温風ユニット、２０は熱交換器、２３は送風ファン、２６はヒータ、３１は注水ケース、３２は給水ダクト、３５は基体部、３５ａは凹部、３６は補強板、３６ａは折り返し部、４３は表板、４４は裏板、４５は空隙、４６はリブ、４７は突部、および５０は手掛部を示す。
【図１】
2004033409.tif 000003
【図２】
2004033409.tif 000004
【図３】
2004033409.tif 000005
【図４】
2004033409.tif 000006
【図５】
2004033409.tif 000007
【図６】
2004033409.tif 000008